(57)【特許請求の範囲】
【請求項１】
所定の映像コンテンツと連動して聴取されるタイムスタンプ付き音声ストリームを、前記音声ストリームを配信している音声コンテンツ配信サーバから取得して再生する携帯電話機であって、
自機が所在する地域を示す情報を取得するエリア情報取得部と、
所定の映像コンテンツを放送している放送局を示すチャネル情報を音声コンテンツ配信サーバに送信し、前記所定の映像コンテンツについて配信されている少なくとも１の音声ストリームを示す情報を含む音声リストを取得する音声リスト取得手段と、
前記音声リストに示される前記少なくとも１の音声ストリームのうち、聴取の実行対象となる聴取対象音声ストリームの指定を、ユーザ操作を介して受け付ける指定受付手段と、
受け付けた指定にかかる音声ストリームを、ネットワークを介して前記音声コンテンツ配信サーバから取得する音声ストリーム取得手段と、
取得した音声ストリームを、付加されているタイムスタンプに従って音声出力する出力手段とを備え、
前記音声リスト取得手段は、
ユーザの視聴にかかる放送局が不明であるか否かを判定し、
ユーザの視聴にかかる放送局が不明であるときは、前記エリア情報取得部によって取得された地域を示す情報を音声コンテンツ配信サーバに送信し、前記情報に示される地域において映像コンテンツの放送を行っている放送局を示す情報を含むチャネルリストを取得するとともに、前記チャネルリストからユーザが指定する放送局を示すチャネル情報を音声コンテンツ配信サーバに送信する一方、
ユーザの視聴にかかる放送局が分かるときは、音声コンテンツ配信サーバへの地域を示す情報の送信によるチャネルリストの取得を行わずに、当該放送局を示すチャネル情報を音声コンテンツ配信サーバに送信する
ことを特徴とする携帯電話機。
【請求項２】
さらに、テレビ放送を受信するテレビ受信手段を備え、
前記音声リスト取得手段は、
前記テレビ受信手段を用いてユーザが視聴している放送局を、前記ユーザの視聴にかかる放送局とし、
前記テレビ受信手段を用いてユーザが視聴している放送局を示すチャネル情報を音声コンテンツ配信サーバに送信し、前記音声リストを取得する
ことを特徴とする請求項１記載の携帯電話機。
【請求項３】
所定の映像コンテンツについて配信されている前記音声ストリームは、各々所定の地域と対応づけられており、
前記指定受付手段は、
前記エリア情報取得部によって取得した情報に示される自機の所在地域と対応づけられている音声ストリームを識別するストリーム識別情報を記憶する識別情報記憶部とを含み、
記憶しているストリーム識別情報にかかる音声ストリームを前記聴取対象音声ストリームとする指定を優先的に受け付ける
ことを特徴とする請求項１又は２記載の携帯電話機。
【請求項４】
さらに、前記音声リストを表示する表示手段を備え、
前記表示手段は、前記音声リストの表示において、前記記憶しているストリーム識別情報にかかる音声ストリームを、他の音声ストリームとは異なる態様で表示し、ユーザに対し優先して選択するように促す
ことを特徴とする請求項３記載の携帯電話機。
【請求項５】
所定の映像コンテンツと連動して聴取されるタイムスタンプ付き音声ストリームを配信する音声コンテンツ配信サーバと、前記音声コンテンツ配信サーバから音声ストリームを取得して再生する携帯電話機とからなる音声コンテンツ配信システムであって、
前記音声コンテンツ配信サーバは、
各地域と少なくとも１の放送局との対応を記憶する地域放送局対応記憶手段と、
前記携帯電話機から、その携帯電話機が所在する地域を示す情報を受信するとともに、前記情報に示される地域において映像コンテンツの放送を行っている放送局を示す情報を含むチャネルリストの取得要求を受け付ける第１取得要求受付手段と、
前記第１取得要求受付手段によって受け付けた取得要求にかかる地域のチャネルリストを前記携帯電話機に対してネットワークを介して送信するチャネルリスト送信手段と、
各放送局で放送される映像コンテンツについて配信されている少なくとも１の音声ストリームを示す情報を含む音声リストを記憶する音声リスト記憶手段と、
前記携帯電話機から、所定の映像コンテンツを放送している放送局を示すチャネル情報を受信するとともに、当該放送局で放送している所定の映像コンテンツについての音声リストの取得要求を受け付ける第２取得要求受付手段と、
前記第２取得要求受付手段によって受け付けた取得要求にかかる音声リストを前記携帯電話機に対してネットワークを介して送信する音声リスト送信手段と、
所定の映像コンテンツと対応づけて少なくとも１の音声ストリームを記憶するストリーム記憶手段と、
前記携帯電話機から音声ストリームの取得要求を受け付ける第３取得要求受付手段と、
前記第３取得要求受付手段によって受け付けた取得要求にかかる音声ストリームを前記携帯電話機に対してネットワークを介して送信する音声ストリーム送信手段とを備え、
前記携帯電話機は、
自機が所在する地域を示す情報を取得するエリア情報取得部と、
チャネル情報を音声コンテンツ配信サーバに送信し、音声リストを取得する音声リスト取得手段と、
前記音声リストに示される前記少なくとも１の音声ストリームのうち、聴取の実行対象となる聴取対象音声ストリームの指定を、ユーザ操作を介して受け付ける指定受付手段と、
受け付けた指定にかかる音声ストリームを、ネットワークを介して前記音声コンテンツ配信サーバから取得する音声ストリーム取得手段と、
取得した音声ストリームを、付加されているタイムスタンプに従って音声出力する出力手段とを備え、
前記音声リスト取得手段は、
ユーザの視聴にかかる放送局が不明であるか否かを判定し、
ユーザの視聴にかかる放送局が不明であるときは、前記エリア情報取得部によって取得された地域を示す情報を音声コンテンツ配信サーバに送信してチャネルリストを取得するとともに、前記チャネルリストからユーザが指定する放送局を示すチャネル情報を音声コンテンツ配信サーバに送信する一方、
ユーザの視聴にかかる放送局が分かるときは、音声コンテンツ配信サーバへの地域を示す情報の送信によるチャネルリストの取得を行わずに、当該放送局を示すチャネル情報を音声コンテンツ配信サーバに送信する
ことを特徴とする音声コンテンツ配信システム。
【発明の詳細な説明】
【技術分野】
【０００１】
本発明は、映像コンテンツの提供に際して、複数の音声サービスを提供する技術に関する。
【背景技術】
【０００２】
テレビ放送される放送番組においては、主音声のみならず、複数の音声が同時に放送されることがある。例えば、映画を放送する番組では、主音声では自国語、副音声では他国語の音声が同時に放送されることがある。また、スポーツの中継放送番組では、主音声と副音声とで各々異なる解説者が番組の解説を担当していることがある。
これにより、視聴者は、放送されるさまざまな副音声のうち、自らの嗜好にあった音声を選択することで、放送番組の視聴を堪能することができる。
【０００３】
放送番組の視聴を、視聴者ごとに最適な態様で実行することを可能とするために、下記の特許文献１に、放送される放送番組を視聴者の多様な嗜好等に応じて再構成する技術が開示されている。
【特許文献１】特開２０００−１５２２１５号公報
【発明の開示】
【発明が解決しようとする課題】
【０００４】
しかし、テレビ放送においては、放送に使用することができる周波数帯域の制約により、同時放送可能な音声数には限りがあるので、上述の技術では、視聴者各々の様々な嗜好に対応するために、多種多様な音声を提供することができないことがある。そのため、視聴者によっては、嗜好と合致する態様での視聴をあきらめざるを得ない場合がある。
例えば、視聴者がフランス語音声による映画番組の視聴を望んでいるにもかかわらず、当該映画番組では英語音声と日本語音声の２種類の音声のみが提供されている場合、視聴者は、希望しない態様での視聴を強いられ、放送番組の視聴を十分に楽しむことができない。
【０００５】
そこで、本発明は、放送可能な音声数が周波数帯域の制約に影響される場合であっても、このような制約にかかわらず、視聴者の多様な趣味や嗜好に添うような様々な種類の音声を視聴者に対して提供することを可能とする音声コンテンツ配信システムと、音声コンテンツ配信システムを構成する携帯電話機とを提供することを目的とする。
【課題を解決するための手段】
【０００６】
上記課題を解決するため、本発明は、所定の映像コンテンツと連動して聴取されるタイムスタンプ付き音声ストリームを、前記音声ストリームを配信している音声コンテンツ配信サーバから取得して再生する携帯電話機であって、自機が所在する地域を示す情報を取得するエリア情報取得部と、所定の映像コンテンツを放送している放送局を示すチャネル情報を音声コンテンツ配信サーバに送信し、前記所定の映像コンテンツについて配信されている少なくとも１の音声ストリームを示す情報を含む音声リストを取得する音声リスト取得手段と、前記音声リストに示される前記少なくとも１の音声ストリームのうち、聴取の実行対象となる聴取対象音声ストリームの指定を、ユーザ操作を介して受け付ける指定受付手段と、受け付けた指定にかかる音声ストリームを、ネットワークを介して前記音声コンテンツ配信サーバから取得する音声ストリーム取得手段と、取得した音声ストリームを、付加されているタイムスタンプに従って音声出力する出力手段とを備え、前記音声リスト取得手段は、ユーザの視聴にかかる放送局が不明であるか否かを判定し、ユーザの視聴にかかる放送局が不明であるときは、前記エリア情報取得部によって取得された地域を示す情報を音声コンテンツ配信サーバに送信し、前記情報に示される地域において映像コンテンツの放送を行っている放送局を示す情報を含むチャネルリストを取得するとともに、前記チャネルリストからユーザが指定する放送局を示すチャネル情報を音声コンテンツ配信サーバに送信する一方、ユーザの視聴にかかる放送局が分かるときは、音声コンテンツ配信サーバへの地域を示す情報の送信によるチャネルリストの取得を行わずに、当該放送局を示すチャネル情報を音声コンテンツ配信サーバに送信することを特徴とする。
【発明の効果】
【０００７】
上述の構成を備える携帯電話機は、視聴者が指定した音声コンテンツを、ネットワーク経由で取得する。また、取得した音声コンテンツを、タイムスタンプに従って外部へ出力する。
これにより、視聴者は、自身の趣味や嗜好に合致した音声コンテンツが放送において提供されていない場合であっても、ネットワーク経由で所望の音声コンテンツを取得することで、自身が希望する態様で放送番組の視聴を実行することができる。
【０００８】
また、所定の映像コンテンツについて配信されている前記音声ストリームは、各々所定の地域と対応づけられており、前記指定受付手段は、自機が所在する地域を示すエリア情報を取得するエリア情報取得部と、取得したエリア情報に示される自機の所在地域と対応づけられている音声ストリームを識別するストリーム識別情報を記憶する識別情報記憶部とを含み、記憶しているストリーム識別情報にかかる音声ストリームを前記聴取対象音声ストリームとする指定を優先的に受け付けることとしてもよい。
【０００９】
ここで、「指定を優先的に受け付ける」とは、前記ストリーム識別情報にかかる音声ストリームの存在をユーザに対して知らせることで、ユーザによる当該音声ストリームの指定を容易にすることをいう。例えば、携帯電話機に備わるディスプレイに、前記ストリーム識別情報にかかる音声ストリームを他の指定候補となる音声ストリームとは区別して表示することや、前記ストリーム識別情報にかかる音声ストリームの存在をスピーカやバイブレータ等によって知らせることをいう。
【００１０】
これにより、視聴者は、自身の所在地域に応じた音声を指定して放送番組とともに視聴することが容易となる。特に、天気予報や交通情報等の、視聴者の所在地域に関連した音声情報が重要となる番組を視聴する場合において有用である。
さらに、自動車等に搭載されたテレビ受信装置を用いて視聴する場合や、移動しながら携帯型のテレビ放送受信装置を用いて視聴する場合等、視聴者が移動しながらテレビ放送を視聴する場合において、視聴者は、自身の移動に応じて、移動先の地域に関連した音声情報を随時取得することができる。
【００１１】
したがって、視聴者は、従来のテレビ放送にはない、移動中における最適な音声情報の提供サービスを受けることができる。
また、所定の映像コンテンツと連動して聴取されるタイムスタンプ付き音声ストリームを配信する音声コンテンツ配信サーバと、前記音声コンテンツ配信サーバから音声ストリームを取得して再生する携帯電話機とからなる音声コンテンツ配信システムであって、前記音声コンテンツ配信サーバは、所定の映像コンテンツと対応づけて少なくとも１の音声ストリームを記憶するストリーム記憶手段と、前記携帯電話機から音声ストリームの取得要求を受け付ける取得要求受付手段と、受け付けた取得要求にかかる音声ストリームを前記携帯電話機に対してネットワークを介して送信する音声ストリーム送信手段とを備え、前記携帯電話機は、前記音声コンテンツ配信サーバが所定の映像コンテンツについて配信している少なくとも１の音声ストリームのうち、聴取の実行対象となる聴取対象音声ストリームの指定を、ユーザ操作を介して受け付ける指定受付手段と、受け付けた指定にかかる音声ストリームの取得要求を前記音声コンテンツ配信サーバに対してネットワークを介して送信する取得要求送信手段と、送信した取得要求にかかる音声ストリームを、前記音声コンテンツ配信サーバからネットワークを介して受信するストリーム受信手段と、受信した音声ストリームを、付加されているタイムスタンプに従って音声出力する出力手段とを備えることとしてもよい。
【００１２】
これにより、視聴者の多様な趣味や嗜好に応じた様々な音声を、放送番組とともに提供することができる。
【発明を実施するための最良の形態】
【００１３】
＜実施の形態＞
以下、本発明にかかる音声コンテンツ配信システムを構成する携帯電話機１０００と、音声コンテンツを配信するサーバ２０００とについて説明する。
＜概要＞
従来のテレビ放送においては、主音声の他に副音声が放送されていることがあるが、放送に使用することができる周波数帯域には制約があるため、放送番組とともに提供することができる音声コンテンツの数には制限があった。
【００１４】
一方、本発明にかかる音声コンテンツ配信システムは、テレビ放送等の放送型映像コンテンツを視聴するユーザに対し、ネットワークを介して多種多様な音声コンテンツを提供することができる。例えば、野球番組を試聴しているユーザに対し、対戦チームごとの応援音声や、試合内容の解説音声や、試合が開催されている球場の音のみを伝える音声などを提供することができる。
【００１５】
このような本発明にかかる音声コンテンツ配信システムの概略図を、図１に示す。
同図に示すように、携帯電話機１０００（１０００ａ、１０００ｂ）は、基地局４０００や通信端末５０００等を介してネットワーク３０００に接続している。携帯電話機１０００と同様に、サーバ２０００もネットワーク３０００に接続している。本発明にかかる音声コンテンツ配信システムの主要な構成となるのは、この携帯電話機１０００とサーバ２０００である。
【００１６】
以下、携帯電話機１０００とサーバ２０００について詳しく説明する。
＜構成＞
図２は、本発明にかかる音声コンテンツ配信システムを構成する携帯電話機１０００の機能ブロック図である。
同図に示すように、携帯電話機１０００は、アンテナ１０１と、無線部１０２と、ベースバンド部１０３と、位置情報取得部１０４と、操作部１０５と、記憶部１０６と、表示部１０７と、音声コーデック部１０８と、音声処理部１０９と、スピーカ１１０と、マイク１１１と、制御部１１２とからなる。
【００１７】
アンテナ１０１は、通信電波の送受信を行う。
無線部１０２は、ベースバンド信号を無線信号にアップコンバートし、また、無線信号をベースバンド信号にダウンコンバートする。
ベースバンド部１０３は、データを無線信号に変換するためのπ/４shiftQPSK（Quadrature  Phase  Shift  Keying）モデム部や、無線部１０２の制御に必要なA/DコンバータおよびD/Aコンバータ、通信に必要な制御信号やデータをフレーミング・デフレーミングするチャネルコーデック部などからなり、データをやりとりするための通信用物理スロットおよび制御用物理スロットの組み立て、分解を行う処理や、送信するデータをアナログベースバンド信号に変調する処理などを行う。
【００１８】
位置情報取得部１０４は、ＧＰＳ（Global Positioning System）測位機能を有し、ＧＰＳモジュール等からなる。ＧＰＳ測位機能によって、携帯電話機１０００が所在する位置を測位する。また、基地局が位置情報を送出する場合は、基地局が送出する位置情報を取得する。
操作部１０５は、通話開始キー、通話終了キー、テンキー、ソフトキー等からなり、ユーザによるキー入力を受け付けて制御部１１２へ所定の信号を送出する。
【００１９】
記憶部１０６は、メモリであり、サーバ２０００からネットワークを介して受信した音声コンテンツの一時的な記憶や、携帯電話機１０００が通信に必要とする各種データの記憶などに用いられる。
表示部１０７は、液晶パネル、有機ＥＬ等であり、制御部１１２から送出された信号を受け付けて、音声コンテンツのリストや、電池残量、通信電波の受信状況、現在時刻、日時等の表示を行う。
【００２０】
音声コーデック部１０８は、データをデコードするデコーダを含み、携帯電話機１０００がネットワークを介して受信した音声コンテンツのデコードを行う。
音声処理部１０９は、通話音声やボイスメモ等の入力を受け付ける処理や、通話相手の音声、留守番電話機能によって録音されている音声等の出力処理を行う。また、PCMコーデックやADPCMトランスコーダを含み、音声をPCM信号に変換したり、PCM信号をADPCM信号に変換または逆変換したりする処理を行う。
【００２１】
スピーカ１１０は、ネットワークを介してサーバ２０００から受信した音声コンテンツ等を音声として出力する。
マイク１１１は、ユーザの音声、街頭の音声等の、外部からの音声入力を受け付ける。
制御部１１２は、CPU（Central Processing Unit）、ROM（Read Only Memory）、RAM（Random Access Memory）などを備え、サーバ２０００との通信にかかる処理や、サーバ２０００から受信した音声ストリームを音声コーデック部１０８によってデコードする処理などを制御する。
【００２２】
次に、サーバ２０００の構成について説明する。
図３は、本発明にかかる音声コンテンツ配信システムを構成するサーバ２０００の機能ブロック図である。
同図に示すように、サーバ２０００は、通信部２０１と、蓄積媒体２０２と、制御部２０３とからなり、制御部２０３は、計時部２０４を含む。
【００２３】
通信部２０１は、ＬＡＮ（Local  Area  Network）カード等の、ネットワーク３０００への接続を行うインターフェイスである。
蓄積媒体２０２は、HDD（Hard  Disk  Drive）等の、大容量の記憶領域を有し、携帯電話機１０００に対して送信する音声ストリームや、後述するエリアチャネル対応表４００、番組テーブル５００、コンテンツ管理テーブル６００などを記憶している。
【００２４】
制御部２０３は、CPU、ROM、RAMなどを備え、サーバ２０００が携帯電話機１０００に対してネットワークを介して音声ストリームを送信する処理の制御などを行う。
計時部２０４は、計時機能を有し、現在時刻を管理する。現在時刻を正確に管理するために、NTP（Network  Time  Protocol）等によって、サーバ２０００の内部時計を調節する。
【００２５】
＜データ＞
次に、サーバ２０００が管理するデータについて説明する。
＜エリアチャネル対応表４００＞
図４は、サーバ２０００が管理するエリアチャネル対応表４００を示す図である。エリアチャネル対応表４００は、各エリアにおいて放送を行っている放送局を示す表である。
【００２６】
同図に示すように、エリアチャネル対応表４００は、エリアID４１と、エリア名４２と、チャネル４３と、放送局４４とからなる。
エリアID４１は、各エリアを識別するための識別子である。
エリア名４２は、エリアIDによって識別される各エリアの名称を示す。
チャネル４３は、各エリアにおいて放送を行っている放送局のチャネルを示す。
【００２７】
放送局４４は、各々のチャネルにおいて放送を行っている放送局の名称を示す。
＜番組テーブル５００＞
続いて、サーバ２０００が管理するデータのうち、各放送局において提供されている放送番組を管理するためのデータについて説明する。
図５は、サーバ２０００が管理する番組テーブル５００および番組表５５０を示す図である。同図（ａ）は、番組テーブル５００を示し、同図（ｂ）は、番組テーブル５００をもとにした番組表５５０を示す。
【００２８】
サーバ２０００は、実際には同図（ａ）に示す番組テーブル５００を管理している。同図（ｂ）の番組表５５０は、番組テーブル５００をわかりやすく視覚化するために示している。なお、番組テーブル５００は、ＥＰＧ（Electronic  Program  Guide）データをもとにして生成されるデータである。
同図（ａ）に示すように、番組テーブル５００は、放送局５１と、放送日５２と、開始５３と、終了５４と、コンテンツID５５と、コンテンツ名５６とからなる。
【００２９】
放送局５１は、放送を行っている放送局の名称を示す。
放送日５２は、コンテンツID５５およびコンテンツ名５６に示される各コンテンツが放送される放送日を示す。放送日は、年と日からなる。同図に示すように、８個の数字からなる数字列で放送日を表現している。
同図の例で説明すると、放送日５２に示されている「20051014」は、前半の４個の数字「2005」が年を示し、後半の４個の数字「1014」が日を示している。後半の４個の数字において、前の２個の数字が月を、残りの２個の数字が日を示す。すなわち、放送日５２に「20051014」と示されていると、コンテンツが放送される日は2005年の10月14日であることを表している。
【００３０】
開始５３は、コンテンツID５５およびコンテンツ名５６に示される各コンテンツの放送開始時刻を示す。同図に示すように、４個の数字で放送開始時刻を表現している。４個の数字のうち、前半の２個が「時」、後半の２個が「分」を示す。例えば、開始５３に「1900」と示されていると、コンテンツの放送開始時刻は１９時００分である。
終了５４は、コンテンツID５５およびコンテンツ名５６に示される各コンテンツの放送終了時刻を示す。開始５３における説明と同様、４個の数字で放送終了時刻を表現している。例えば、終了５４に「2100」と示されていると、コンテンツの放送終了時刻は２１時００分である。
【００３１】
コンテンツID５５は、各放送局において放送されているコンテンツ各々を識別する識別子である。
コンテンツ名５６は、コンテンツの名称であり、コンテンツID５５に示される識別子と対応づけられている。
上述した番組テーブル５００に示される各コンテンツの放送日時を視覚化した番組表５５０を、同図（ｂ）に示す。
【００３２】
同図（ｂ）に示すように、番組表５５０は、時間帯５７と、放送局５８とを含む。
時間帯５７は、各コンテンツの放送時間帯を示す。
放送局５８は、放送を行う放送局と、放送される各コンテンツの放送時間帯を示す。
＜コンテンツ管理テーブル６００＞
次に、コンテンツ各々に提供されている音声ストリームを管理するためのコンテンツ管理テーブル６００について説明する。
【００３３】
図６は、コンテンツ管理テーブル６００を示す図である。
同図に示すように、コンテンツ管理テーブル６００は、放送局６１と、コンテンツID６２と、音声ID６３と、音声コンテンツ名６４とからなる。
放送局６１は、放送を行う放送局の名称を示す。
コンテンツID６２は、各放送局において放送されているコンテンツ各々を識別する識別子である。
【００３４】
音声ID６３は、各コンテンツについて提供されているいくつかの音声コンテンツを、それぞれ識別するための識別子である。
音声コンテンツ名６４は、音声ID６３に示される各音声コンテンツの名称を示す。
＜同期情報＞
音声コンテンツを音声ストリームとして受信し、受信した音声ストリームを放送番組にあわせて再生するには、音声ストリームの再生にあたって、放送番組と同期を取る必要がある。同期を取らない場合は、音声の再生が映像とずれてしまい、ユーザの視聴に耐えないからである。
【００３５】
そのため、本発明にかかる音声コンテンツ配信システムにおいては、映像との同期を取るための同期情報を音声ストリームに含ませることとしている。
同期情報について、図面を用いて具体的に説明すると、図７は、音声ストリームのデータ構造を示す図であり、同図に示すように、本発明においては、音声ストリームをPackの集まりとして構成している。
【００３６】
Packを構成するパケットをPES（Packetized  Elementary  Stream）パケットという。
PESパケットは、header部と、elementary_stream部とからなる。
PESパケットのheader部には、PTS（Presentation  Time  Stamp）やDTS（Decoding  Time  Stamp）などの、同期再生のための時間情報が含まれる。このPTSやDTSには、基準時間のどこで復号し、再生すればよいかを示すタイムスタンプが記述されており、本発明においては、このタイムスタンプを用いることにより、映像との同期再生を行う。
【００３７】
＜動作＞
次に、本発明にかかる音声コンテンツ配信システムを構成する携帯電話機１０００の動作と、サーバ２０００の動作について、図面を用いて説明する。
＜携帯電話機１０００の動作＞
図８は、本発明にかかる携帯電話機１０００の制御部１１２が行う処理を示すフローチャートである。
【００３８】
同図に示すように、携帯電話機１０００の制御部１１２は、まず、ネットワーク３０００への接続を開始する（ステップＳ８０１）。ネットワーク３０００への接続に成功するまで接続を試み（ステップＳ８０２、ステップＳ８０３）、接続に成功せず（ステップＳ８０２：ＮＯ）タイムアウトした場合（ステップＳ８０３：ＹＥＳ）は、処理を終了する。
【００３９】
ネットワーク３０００への接続に成功すると（ステップＳ８０２：ＹＥＳ）、サーバ２０００へ接続し（ステップＳ８０４）、位置情報取得部１０４を制御して自機の所在地域を取得し、取得した自機の所在地域を、エリア情報としてサーバ２０００へ送信する（ステップＳ８０５）。
サーバ２０００から応答があるまで待機し（ステップＳ８０６、ステップＳ８０７）、応答がなく（ステップＳ８０６：ＮＯ）タイムアウトした場合（ステップＳ８０７：ＹＥＳ）は、処理を終了する。
【００４０】
サーバ２０００から応答があると（ステップＳ８０６：ＹＥＳ）、サーバ２０００からネットワーク３０００を介してチャネルリストを受信し、受信したチャネルリストに基づいて、チャネル情報入力画面を表示する（ステップＳ８０８）。なお、チャネルリストとは、制御部１１２がサーバ２０００に対して送信したエリア情報に示される地域において放送を行っている放送局が示されている。後述するサーバ２０００の動作の説明で詳しく述べるが、サーバ２０００は、エリアチャネル対応表４００を参照してチャネルリストを送信する。
【００４１】
携帯電話機１０００の制御部１１２は、操作部１０５を介してユーザからチャネルを指定する操作を受け付けると、ユーザの指定にかかるチャネルを示すチャネル情報をサーバ２０００に対して送信する（ステップＳ８０９）。
サーバ２０００から応答があるまで待機し（ステップＳ８１０、ステップＳ８１１）、応答がなく（ステップＳ８１０：ＮＯ）タイムアウトした場合（ステップＳ８１１：ＹＥＳ）は、処理を終了する。
【００４２】
サーバ２０００から応答があると（ステップＳ８１０：ＹＥＳ）、サーバ２０００からネットワーク３０００を介して音声リストを受信し、受信した音声リストを表示部１０９に表示する（ステップＳ８１２）。なお、音声リストには、提供されている音声コンテンツの一覧が示されている。後述するサーバ２０００の動作の説明で詳しく述べるが、サーバ２０００は、コンテンツ管理テーブル６００を参照して音声リストを送信する。
【００４３】
携帯電話機１０００の制御部１１２は、受信した音声リストを表示して、操作部１０５を介してユーザから音声コンテンツを選択する操作を受け付け、選択にかかる音声コンテンツをサーバ２０００に要求し、要求した音声コンテンツをサーバ２０００から音声ストリームとして取得し、取得した音声ストリームを再生する音声ストリーム取得再生処理を行う（ステップＳ８１３）。なお、ステップＳ８１３については、後に詳しく説明する。
【００４４】
＜携帯電話機１０００の具体的な動作＞
ここで、上述した携帯電話機１０００の動作について具体例を用いて説明する。
具体例として、携帯電話機１０００を操作するユーザは、東京に滞在しており、図５（ｂ）に示す番組表の、放送局「テレビ本日報」において１９時００分から２０時５０分までの間に放送されている「野球  阪京フェリックス  対  横東マーニュス」を視聴しており、視聴を行っている時刻は１９時３２分であり、当該放送番組の副音声のうち、図６に示すコンテンツID６２が「30001」の、音声ID６３が「３」である「野球技術  解説音声」の聴取を意図しているとする。
【００４５】
携帯電話機１０００は、サーバ２０００へ接続すると（ステップＳ８０４）、自機の所在地域を取得し、取得にかかるエリア情報「東京」をサーバ２０００へ送信する。
サーバ２０００から応答があり、エリア情報「東京」において放送を行っている放送局の一覧を示すチャネルリストを受信すると、図９（ａ）に示すチャネル情報入力画面を表示する。同図のエリア情報９１では、サーバ２０００へ送信したエリア情報に示される地域が表示されている。また、同図のチャネルリスト９２は、エリア情報「東京」に示される地域において放送を行っている放送局の一覧が示されており、チャネル番号と、放送局の名称が表示されている。
【００４６】
チャネル番号の左側には、聴取対象となるチャネルであることを示すための、円形状のラジオボタンが表示されている。ラジオボタンが有効であると、ラジオボタンに対応するチャネルが聴取対象であることを示す。また、各放送局の名称は、いずれか１つが選択されており、選択状態にある放送局の名称は、他と区別して表示される。同図の例では、「チャネル番号４」の「テレビ本日報」が聴取対象であり、「テレビ本日報」に対応するラジオボタンが有効になっている。また、「チャネル番号４」の「テレビ本日報」が選択されており、他の放送局と区別して表示されている。
【００４７】
また、ユーザは、例えばカーソルキーを押下する等、操作部１０５を介して所定の操作を行うことで、他の放送局を選択状態とすることができる。放送局を選択状態にし、例えば左ソフトキーを押下する等、操作部１０５を介して所定の操作を行うことで、選択状態にある放送局を聴取対象とする操作を行うことができる。
ユーザが操作部１０５を介していずれかの放送局を聴取対象とて選択し、選択にかかる放送局を示す情報を、例えば右ソフトキーを押下する等によってサーバ２０００に対して送信する所定の操作を行うと、サーバ２０００からは、音声リストが送信される。携帯電話機１０００は、サーバ２０００から送信される音声リストを受信して、同図（ｂ）に示す音声リスト選択画面を表示する。
【００４８】
同図（ｂ）に示すように、音声リスト選択画面では、聴取対象となる放送局の名称が放送局表示ボックス９３において表示され、また、携帯電話機１０００がサーバ２０００に接続した時点で当該聴取対象の放送局において放送されている放送番組の内容が放送番組名９４に表示される。放送番組の副音声の一覧である音声リストは、音声リスト９５に表示される。
【００４９】
同図（ｂ）の例では、ラジオボタンが有効であり聴取対象として示されている音声コンテンツは「阪京フェリックス応援音声」である。また、ユーザ操作を介して選択状態とされている音声コンテンツの名称は「野球技術  解説音声」である。
ユーザは、例えば操作部１０５の左ソフトキーを押下する等の操作によって、操作部１０５を介して、選択状態にある音声コンテンツを聴取対象のコンテンツとすることができる。また、例えば操作部１０５の右ソフトキーを押下する等の操作によって、操作部１０５を介して、聴取対象のコンテンツを送信するようサーバ２０００に対して要求する操作を行うことができる。
【００５０】
聴取対象のコンテンツを送信するよう要求する操作を行った後、サーバ２０００から送信されてくる音声ストリームを聴取することで、映像と同期した副音声を聴くことができる。
このようにして、ユーザは音声コンテンツを選択し、映像と同期させて視聴を行う。
＜音声ストリーム取得再生処理＞
ここで、図８のステップＳ８１３について詳しく説明する。
【００５１】
図１０は、携帯電話機１０００の制御部１１２が行う音声ストリーム取得再生処理を示すフローチャートである。
同図に示すように、制御部１１２は、ユーザから操作部１０５を介して音声コンテンツの選択操作を受け付け（ステップＳ１００１）、選択にかかる音声コンテンツの音声IDを音声選択情報としてサーバ２０００へネットワーク３０００を介して送信する（ステップＳ１００２）。
【００５２】
サーバ２０００からは音声選択情報に示される音声ストリームが送信され、この送信される音声ストリームを受信すると、制御部１１２は、受信した音声ストリームに含まれるPTS、DTSなどの同期情報に示される情報に従って、制御部１１２が計時している現在時刻に基づいて、映像と同期するように音声ストリームデータを再生する処理を実行する（ステップＳ１００３）。
【００５３】
音声ストリームの再生処理を実行している時に、ユーザから操作部１０５を介して音声ストリームの再生を停止する操作を受け付けるか（ステップＳ１００４：ＹＥＳ）、音声ストリームの再生がすべて終わるまで（ステップＳ１００５：ＹＥＳ）、音声ストリームの同期再生を行う（ステップＳ１００３、ステップＳ１００４：ＮＯ、ステップＳ１００５：ＮＯ）。
【００５４】
音声ストリームの再生を停止する操作を受け付けると（ステップＳ１００４：ＹＥＳ）、サーバ２０００に対して音声ストリームの送信を停止するよう要求する信号を送信し、サーバ２０００との接続を切断する。また、音声ストリームの再生がすべて終わると（ステップＳ１００５：ＹＥＳ）、サーバ２０００との接続を切断する。
＜サーバ２０００の動作＞
次に、サーバ２０００の動作について説明する。
【００５５】
図１１は、サーバ２０００の制御部２０３が行う処理を示すフローチャートである。
同図に示すように、サーバ２０００の制御部２０３は、アクセスがあるまで待機し（ステップＳ１１０１：ＮＯ）、携帯電話機１０００からアクセスがあると（ステップＳ１１０１：ＹＥＳ）、ネットワーク３０００を介して携帯電話機１０００と接続する。
接続に成功すると、携帯電話機１０００から送信されるエリア情報を受け付ける。エリア情報を受け付けると、エリアチャネル対応表４００を参照して、受け付けたエリア情報に示される地域において放送を行っている放送局を抽出し、抽出した放送局を、チャネルリストとして携帯電話機１０００に対して送信する（ステップＳ１１０２）。
【００５６】
その後、ユーザが指定したチャネルを示すチャネル情報を携帯電話機１０００から受け付けるまで待機する（ステップＳ１１０３：ＮＯ、ステップＳ１１０４：ＮＯ）。タイムアウトした場合（ステップＳ１１０４：ＹＥＳ）は、携帯電話機１０００との接続を切断し、アクセスがあるまで待機する。
チャネル情報を受け付けると（ステップＳ１１０３：ＹＥＳ）、計時部２０４が計時している現在時刻を取得し、番組テーブル５００を参照して、現在時刻においてチャネル情報に示される放送局が放送しているコンテンツのコンテンツIDを特定する。コンテンツIDを特定すると、コンテンツ管理テーブル６００を参照して、特定したコンテンツIDにおいて放送局が提供している音声コンテンツの名称の一覧を音声IDとともに抽出し、音声リストとして携帯電話機１０００に対して送信する（ステップＳ１１０５）。
【００５７】
音声リストの送信後、携帯電話機１０００から音声選択情報を受け付けるまで待機する（ステップＳ１１０６：ＮＯ、ステップＳ１１０７：ＮＯ）。タイムアウトした場合（ステップＳ１１０７：ＹＥＳ）は、携帯電話機１０００との接続を切断し、アクセスがあるまで待機する。
携帯電話機１０００が送信する音声選択情報を受け付けると（ステップＳ１１０６：ＹＥＳ）、コンテンツIDと音声IDとによって示される音声ストリームを蓄積媒体２０２から読み出し、ネットワーク３０００を介して携帯電話機１０００に対して逐次送信する（ステップＳ１１０８）。
【００５８】
音声ストリームの送信の停止を要求する信号を受け付けるか、音声ストリームの送信がすべて終わるまで（ステップＳ１１０９：ＮＯ、ステップＳ１１１０：ＮＯ）、音声ストリームを逐次送信する。
携帯電話機１０００に対する音声ストリームの送信中に携帯電話機１０００から音声ストリームの送信の停止を要求する信号を受け付けると（ステップＳ１１０９：ＹＥＳ）、音声ストリームの送信を停止して携帯電話機１０００との接続を切断し、アクセスがあるまで待機する。また、音声ストリームの送信がすべて終わると（ステップＳ１１１０：ＹＥＳ）、携帯電話機１０００との接続を切断し、アクセスがあるまで待機する。
＜補足＞
以上のように本発明にかかる携帯電話機について実施の形態に基づいて説明したが、以下のように変形することもでき、本発明は上述の実施の形態で示した携帯電話機に限られないことは勿論である。
（１）上述の実施形態においては、テレビ放送によって放送されている映像コンテンツについて、さまざまな副音声を提供することができる音声コンテンツ配信システムについて説明してきたが、テレビ放送に限らず、街頭などに設置されている共用テレビにおいて提供されている映像コンテンツに対しても適用可能である。
【００５９】
ここで、共用テレビとは、例えば街頭に設置されている大型のディスプレイや、スタジアムに設置されている電光表示装置などである。共用テレビでは、テレビ放送によって提供される映像コンテンツや、共用テレビにおいて独自に提供される映像コンテンツが放送されている、とする。
上述したように、共用テレビにおいて提供されている映像コンテンツに対してもさまざまな副音声を視聴者に対して提供することを可能にするために、サーバ２０００は、図１２（ａ）に示す共用テレビ設置場所テーブル１２００と、同図（ｂ）に示す共用テレビ番組テーブル１２５０を記憶している。
【００６０】
ここで、同図（ａ）に示す共用テレビ設置場所テーブル１２００について説明する。
同図に示すように、共用テレビ設置場所テーブル１２００は、テレビID１２１と、共用テレビ名１２２と、設置位置１２３からなる。
テレビID１２１は、各共用テレビを識別する識別子である。
共用テレビ名１２２は、テレビID１２１によって識別される各共用テレビの名称である。
【００６１】
設置位置１２３は、各共用テレビが設置されている位置を、緯度および経度によって示す。
ここで、同図（ｂ）に示す共用テレビ番組テーブル１２５０について説明する。
同図に示すように、共用テレビ番組テーブル１２５０は、共用テレビ名１２４と、放送日１２５と、開始１２６と、終了１２７と、コンテンツID１２８と、コンテンツ名１２９とからなる。
【００６２】
共用テレビ名１２４は、共用テレビの名称を示す。
放送日１２５、開始１２６、終了１２７、コンテンツID１２８、コンテンツ名１２９は、それぞれ図５（ａ）に示す番組テーブル５００の放送日５２、開始５３、終了５４、コンテンツID５５、コンテンツ名５６と同様の内容であるため、説明を省略する。
なお、コンテンツID１２８およびコンテンツ名１２９によって示される各コンテンツには、共用テレビにおいて独自に提供されるコンテンツが含まれる。
【００６３】
以下、共用テレビ設置場所テーブル１２００と共用テレビ番組テーブル１２５０とを用いて、共用テレビにおいて提供されている映像コンテンツに対してもさまざまな副音声を視聴者に対して提供する方法の一例を説明する。
携帯電話機１０００は、図８のステップＳ８０５の処理において、エリア情報を送信する際に、共用テレビにおいて提供されているコンテンツを視聴することを示す所定の情報をあわせて送信する。
【００６４】
サーバ２０００は、携帯電話機１０００が共用テレビにおいて提供されているコンテンツを視聴することを示す所定の情報を送信した場合、あわせて送信されているエリア情報に示される携帯電話機１０００の所在位置に近接している位置に設置されている共用テレビを、共用テレビ設置場所テーブル１２００を参照して抽出する。
なお、抽出方法としては、携帯電話機１０００の所在位置に最も近接している位置に設置されている共用テレビを抽出する方法や、携帯電話機１０００の所在位置から所定の範囲内にある位置に設置されている共用テレビを抽出する方法などがある。
【００６５】
抽出した結果に含まれる共用テレビを示す情報を、チャネルリストとして携帯電話機１０００に対して送信する。
携帯電話機１０００は、チャネルリストを受信すると、ユーザ操作を介して共用テレビを指定する操作を受け付ける。
サーバ２０００は、指定を受け付けると、共用テレビ番組テーブル１２５０を参照し、ユーザ指定にかかる共用テレビにおいて提供されている音声コンテンツのリストを音声リストとして携帯電話機１０００に対して送信する。
【００６６】
携帯電話機１０００は、送信された音声リストを受信し、音声リスト選択画面を表示してユーザによる音声コンテンツの指定操作を受け付け、指定にかかる音声コンテンツをサーバ２０００から取得する。
このようにして、共用テレビにおいて提供されている映像コンテンツに対してもさまざまな副音声を視聴者に対して提供することができる。
（２）上述の実施形態では、サーバ２０００は、携帯電話機１０００から送信されるエリア情報を、エリアチャネル対応表４００を参照して当該エリア情報に示される地域において放送を行っている放送局を抽出するために用いているが、これに限らず、エリア情報と所定の地域とを対応づけて記憶しておくことにより、エリア情報を、エリア情報に示される地域と関連する音声コンテンツを抽出するために用いることとしてもよい。
【００６７】
抽出にかかる音声コンテンツを所定の態様で携帯電話機１０００のディスプレイに表示等することにより、ユーザに対し、携帯電話機１０００の所在地域と関連する音声コンテンツの存在を認識させることができる。これにより、携帯電話機１０００の所在位置に応じた音声コンテンツの提供サービスを実現することができる。
例えば、天気予報を放送する番組において、市や町など、所定の地域と対応づけていくつかの音声コンテンツを提供する場合を想定する。サーバ２０００は、所定の地域と対応づけられている音声コンテンツを含むコンテンツのコンテンツIDを記憶している。また、図１３（ａ）に示すように、コンテンツIDに示されるコンテンツにおいて提供されている各音声コンテンツと所定の地域とを対応づけた対応地域表１３００を記憶している。
【００６８】
同図（ａ）に示すように、対応地域表１３００は、コンテンツID１３１と、音声ID１３２と、地域１３３からなる。コンテンツID１３１と音声ID１３２は、それぞれ図６に示すコンテンツID６２と音声ID６３と同一であるため説明を省略する。地域１３３は、音声ID１３２に示される音声コンテンツの識別子と対応づけられている所定の地域を示す。
以下、対応地域表１３００を用いて、携帯電話機１０００の所在位置に応じた音声コンテンツの提供サービスを実現する方法の一例を説明する。
【００６９】
サーバ２０００は、図１１のステップＳ１１０３において、携帯電話機１０００から送信されるチャネル情報を受け付けると、現在時刻においてチャネル情報に示される放送局が放送しているコンテンツのコンテンツIDを取得し、取得したコンテンツIDが、所定の地域と対応づけられている音声コンテンツであるか否かを判断する。
肯定的な判断であれば、エリア情報に示される地域と対応づけられている音声コンテンツが存在するか否かを、記憶している対応地域表１３００の地域１３３を参照して判断する。
【００７０】
エリア情報に示される地域と対応づけられている音声コンテンツが存在する場合、ステップＳ１１０５の音声リストを送信する際に、エリア情報に示される地域と対応づけられている音声コンテンツが存在する旨と、当該音声コンテンツの音声IDとを示す対応地域存在情報をあわせて送信する。
サーバ２０００が音声リストとともに対応地域存在情報を送信した後、携帯電話機１０００が音声リストおよび対応地域存在情報を受信すると、携帯電話機１０００は、図８のステップＳ８１２において、音声リストを表示する際に、受信した対応地域存在情報に示される音声IDの音声コンテンツを、他の音声コンテンツとは異なる態様でディスプレイに表示する。例えば、図１３（ｂ）に示される態様で表示する。同図の例では、音声リスト表示画面において表示される音声コンテンツのうち、「X地方南部向け天気予報」の音声コンテンツが、エリア情報に示される地域と対応づけられている音声コンテンツである。当該音声コンテンツは、同図の対応地域コンテンツ表示部９６において、ユーザに対し優先して選択するよう促す態様で表示されている。
【００７１】
このようにして、携帯電話機１０００の所在位置に応じた音声コンテンツの提供サービスを実現することができる。
また、上述の例では、対応地域存在情報に示される音声IDの音声コンテンツを、他の音声コンテンツとは異なる態様でディスプレイに表示することとして説明したが、これに限らず、対応地域存在情報に示される音声IDの音声コンテンツが存在することを、スピーカによる報音やバイブレータによる振動等の方法でユーザに知らせることとしてもよい。
【００７２】
また、上述した音声コンテンツの提供サービスにおいては、携帯電話機１０００が所定の時間間隔で位置情報を取得し、自機の所在位置が変わるたびにエリア情報を送信することとしてもよい。これにより、携帯電話機１０００の所在位置に変化があると、サーバ２０００は、変化に対応して直ちに対応地域存在情報を携帯電話機１０００に対して送信することができる。
（３）上述の実施形態では、サーバ２０００が送信する音声コンテンツの送信位置については、特に説明をしていなかったが、音声コンテンツを構成するデータの冒頭部分から送信することとしてもよいし、任意の位置から送信することとしてもよい。任意の位置から送信する場合、サーバ２０００は、携帯電話機１０００がアクセスしてきた時間帯と、番組テーブル５００とに基づいて、携帯電話機１０００のユーザが視聴している時間に適合するように音声コンテンツの送信位置を決めることとしてもよい。
【００７３】
例えば、上述した例と同様、携帯電話機１０００のユーザが、図５（ａ）に示す番組テーブル５００に含まれるコンテンツ名「野球  阪京フェリックス対横東マーニュス」を視聴している場合であって、携帯電話機１０００がサーバ２０００に対して１９時３２分にアクセスしてきたときは、サーバ２０００は、１９時００分〜１９時３１分部分のデータは送らず、１９時３２分部分のデータから携帯電話機１０００に対して送信するようにしてもよい。
【００７４】
また、データの送信位置は、分単位ではなく、秒単位、１秒を構成するフレーム単位など、他の時間単位で決定することとしてもよい。
（４）上述した実施形態では、携帯電話機１０００は、サーバ２０００から受信したチャネルリストに基づいて、チャネル情報入力画面を表示し、ユーザ操作を受け付けて、ユーザの指定にかかるチャネルをサーバ２０００に対して送信することとしていたが、チャネル情報を取得してサーバ２０００に対して送信する方法は、これに限らず、他の方法であってもよい。
【００７５】
例えば、視聴の実行対象となる映像コンテンツにおいて提供されている１の音声コンテンツの音声データに基づいて、当該映像コンテンツのコンテンツIDを取得することで、ユーザが視聴を実行しているチャネルを特定することができる。
上述の方法を実現する一実施形態としては、例えば、携帯電話機１０００は、テレビ放送されている映像とともに放送されている副音声などの、ユーザが視聴している映像コンテンツのうちの１の音声を、マイク１１１を介して録音する。このとき、録音した時刻を記憶する。録音した音声データと、録音した時刻をサーバ２０００に対して送信する。
【００７６】
サーバ２０００は、携帯電話機１０００による録音にかかる音声データと、録音した時刻に基づいて、録音した音声データの特徴抽出を実行する。特徴抽出を実行すると、蓄積媒体２０２に記憶されている各音声コンテンツの、同時刻の音声データと比較する。比較の結果、相関関係が所定値以上の音声コンテンツがある場合、当該音声コンテンツを、ユーザが視聴を実行しているチャネルと特定する。
【００７７】
これにより、携帯電話機１０００が位置情報を取得することができずエリア情報を送信することができない場合であっても、サーバ２０００は、ユーザが視聴を実行しているチャネルを特定することができる。
また、上述の例では、サーバ２０００において特徴部分の比較を行い、相関関係の大きさを判断しているが、特徴部分の比較と相関関係の大きさの判断は、携帯電話機１０００が実行することとしてもよい。
【００７８】
なお、上述した特徴抽出は、録音データを周波数スペクトルを変換等する音声認識で用いられている技術を適用することにより実現可能である。
また、携帯電話機１０００に、音声データを文字列として認識する音声認識機能が備わっている場合は、携帯電話機１０００が、録音にかかる音声データに含まれる音声を認識し、文字列として抽出し、抽出した文字列をサーバ２０００に対して送信することもできる。このとき、サーバ２０００では、放送されている音声の文字列と、放送時間との対応関係を示したテーブルを予め保持しており、当該テーブルと、携帯電話機１０００から送信される文字列とを比較して、ユーザの視聴にかかるチャネルを特定することができる。
【００７９】
また、携帯電話機１０００の側で、はじめからユーザの視聴にかかるチャネルが判明しているときは、エリア情報は送らず、はじめにチャネル情報から送信することとしてもよい。
また、上述した実施形態では、携帯電話機１０００がテレビ受信機能を有するか否かについて特に言及していなかったが、テレビ受信機能を有する場合は、ユーザの視聴にかかるチャネル情報は携帯電話機１０００において入手可能なので、はじめにチャネル情報から送信することとしてもよい。
【００８０】
また、携帯電話機１０００の側で、エリア情報等をサーバ２０００に対して送信するまでもなく、ユーザの視聴にかかるコンテンツのコンテンツIDと、提供されている音声コンテンツの音声IDが判明しているときは、はじめから音声コンテンツを指定して、指定にかかる音声コンテンツを送信するようサーバ２０００に対して要求することとしてもよい。
（５）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００８１】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００８２】
また、本発明は、前記コンピュータプログラム又は前記デジタル信号を、電気通信回線、無線又は有線通信回線、インターネットを代表とするネットワーク、データ放送等を経由して伝送するものとしてもよい。
（６）上記実施の形態及び上記変形例をそれぞれ組み合わせるとしてもよい。
【産業上の利用可能性】
【００８３】
本発明は、ネットワーク接続可能な携帯電話機やコンテンツ配信サーバ等において適用可能である。
【図面の簡単な説明】
【００８４】
【図１】本発明にかかる音声コンテンツ配信システムの概略図である。
【図２】本発明にかかる音声コンテンツ配信システムを構成する携帯電話機１０００の機能ブロック図である。
【図３】本発明にかかる音声コンテンツ配信システムを構成するサーバ２０００の機能ブロック図である。
【図４】エリアチャネル対応表４００を示す図である。
【図５】番組テーブル５００および番組表５５０を示す図である。
【図６】コンテンツ管理テーブル６００を示す図である。
【図７】音声ストリームのデータ構造を示す図である。
【図８】携帯電話機１０００の制御部１１２が行う処理を示すフローチャートである。
【図９】チャネル情報入力画面および音声リスト選択画面の一例を示す図である。
【図１０】携帯電話機１０００の制御部１１２が行う音声ストリーム取得再生処理を示すフローチャートである。
【図１１】サーバ２０００の制御部２０３が行う処理を示すフローチャートである。
【図１２】共用テレビ設置場所テーブル１２００および共用テレビ番組テーブル１２５０を示す図である。
【図１３】対応地域表１３００および音声リスト選択画面の一例を示す図である。
【符号の説明】
【００８５】
１０１  アンテナ
１０２  無線部
１０３  ベースバンド部
１０４  位置情報取得部
１０５  操作部
１０６  記憶部
１０７  表示部
１０８  音声コーデック部
１０９  音声処理部
１１０  スピーカ
１１１  マイク
１１２  制御部
２０１  通信部
２０２  蓄積媒体
２０３  制御部
２０４  計時部
【図１】
0004672517.tif 000002
【図２】
0004672517.tif 000003
【図３】
0004672517.tif 000004
【図４】
0004672517.tif 000005
【図５】
0004672517.tif 000006
【図６】
0004672517.tif 000007
【図７】
0004672517.tif 000008
【図８】
0004672517.tif 000009
【図９】
0004672517.tif 000010
【図１０】
0004672517.tif 000011
【図１１】
0004672517.tif 000012
【図１２】
0004672517.tif 000013
【図１３】
0004672517.tif 000014